(57)【要約】【課題】商品宣伝員が店内で提供する試食品を子供が誤って食べて、食物アレルギー症状を起こしたり、腹痛を起こしたり、火傷を負ったり、体調を悪化させたりするのを防ぐ、子供に対しての試食品の誤食防止方法を提供する。を提供する。【解決手段】試食品を提供中の店内に親と共に入る子供の首に、誤食防止用の注意書き１４が記載された紐１８の付いたタグ１０を、掛けて吊るす。そして、その子供が同じ店内にいる親に、その子供が自分の首に掛けて吊るしているタグの注意書き１４を見せて、その試食品を自分が食べて良いのか悪いのかを聞くことができるようにする。【選択図】図１
2007086555.tif 000002
【特許請求の範囲】
【請求項１】
スーパーなどの店内で、商品宣伝員が試食品を提供する際に用いられる、子供に対しての試食品の誤食防止方法であって、
その試食品を提供中の店内に親と共に入る子供の首に、誤食防止用の注意書きが記載された紐の付いたタグを、掛けて吊るすことにより、
その子供のみでは前記商品宣伝員が提供する試食品をその子供が試食しても良い食品なのか又は試食してはいけない食品なのかを判断できない場合に、その子供が同じ店内にいる自分の親に、その子供が自分の首に掛けて吊るしているタグの注意書きを見せて、その試食品を自分が食べて良いのか悪いのかを聞くことができるようにしたことを特徴とする子供に対しての試食品の誤食防止方法。
【請求項２】
前記誤食防止用の注意書きが記載された紐の付いたタグが、試食品を提供中の店の入り口に置かれていて、そのタグを、親が自分と共に店内に入る子供の首に掛けて吊るしたり、又は親と共に店内に入るその親の子供が自発的に自分の首に掛けて吊るしたりできるようにしたことを特徴とする請求項１記載の子供に対しての試食品の誤食防止方法。
【請求項３】
前記誤食防止用の注意書きが記載された紐の付いたタグが、商品として販売されていて、そのタグを購入した親が、そのタグを、試食品を提供中の店内に親と共に入る子供の首に掛けて吊るしたり、又はそのタグを購入した親の子供が、試食品を提供中の店内に親と共に入る際に、そのタグを自分の首に自発的に掛けて吊るしたりできるようにしたことを特徴とする請求項１記載の子供に対しての試食品の誤食防止方法。
【請求項４】
前記タグに記載された誤食防止用の注意書きが、親又は子供に不快感や差別や偏見を抱かせない、誤食防止を遠回しに柔らかく間接的に表現した文章からなることを特徴とする請求項１記載の子供に対しての試食品の誤食防止方法。
【請求項５】
前記タグに、誤食防止用の注意書きと共に、子供の注意を引く、子供の喜ぶ、人気キャラクター又は絵図が記載されていることを特徴とする請求項１記載の子供に対しての試食品の誤食防止方法。
【発明の詳細な説明】
【技術分野】
【０００１】
本発明は、スーパーなどの店内で、商品宣伝員が試食品を提供する際に用いられる、子供に対しての、試食品の誤食防止方法に関する。
【背景技術】
【０００２】
スーパーなどの店内では、商品宣伝員（いわゆるマネキン）が新たに発売された新商品を、その顧客層に広く宣伝して、その商品の良さを認知させたい場合などに、その新商品の試食品を、店を訪れた客に無料で提供することが、しばしば行われる。
そのような際には、その新商品の試食品を提供中の場所に、スーパーなどの店内に親と共に訪れた子供が集まって、ものめずらしさから、その試食品を口にほお張る光景が多々見られる。
【０００３】
このような場合、その試食品が、その子供に対して、試食してもかまわない安全な食品であれば、問題ないのであるが、たまたま、その子供が食物アレルギー持ちであったり、胃腸を悪くしたり、歯を悪くしたり、体調を崩したりしていて、その試食品が、その子供に対して、食べてはいけない食品である場合には、その試食品を試食した子供が、食物アレルギーショック症状を起こしたり、腹痛を起こしたり、体調を悪くしたりして、大変な事態になりかねない。
【０００４】
このような事態を防ぐには、その試食品を提供する提供者の商品宣伝員が、その試食品を試食しようとする子供やその子供の親に、その提供する試食品が、その子供が食べてもかまわない食品であるのか又は食べてはいけない食品であるのかを、直接口に出して尋ねる方法が、一般に考えられる。
【特許文献１】特開２００１−２１８６５２号公報
【発明の開示】
【発明が解決しようとする課題】
【０００５】
しかしながら、そのようにした場合には、その試食品が、その子供が食べてもかまわない食品なのか又は食べてはいけない食品なのかを直接口に出して、尋ねた言葉が、その子供やその子供の親に不快感や差別や偏見を抱かせることが、多い。そして、そのスーパーなどの店の顧客である子供の親やその子供に、その店の印象を悪くさせる。
また、幼い子供などの場合は、その子供自身では、その試食品が、その子供が食べてもかまわない食品なのか又は食べてはいけない食品なのかを判断するのが、困難であることが、多い。
従って、商品宣伝員は、試食品を提供する場所に集まる子供に、その子供やその子供の親に、自己の提供する試食品をその子供が食べても良いものなのか又は食べてはいけないものなのかを詳しく尋ねることなしに、自己の提供する試食品を求められるまま与えてしまうことが、ほとんどである。
しかしながら、そのようにした場合には、その子供が、前述のように、食物アレルギー持ちであったり、胃腸が悪かったり、体調を崩していたりした場合には、大変危険な事態に陥る恐れが多分にある。
【０００６】
同様なことは、その商品宣伝員が提供する試食品が、火傷を負う恐れのある熱いものであったり、子供が食べるのには不適当な辛いものであったりしても、商品宣伝員は、その試食品を提供する場所に集まる子供に、その火傷を負う恐れのある熱い試食品や子供には不適当な辛い試食品を、求められるまま手渡してしまうことが、多い。
なぜならば、商品宣伝員が試食品を子供に提供するのを断ると、それを聞いた子供の親から、なぜ子供には試食品を差別して渡さないのかなどというクレームが出て、その店の印象を悪くしてしまう恐れがあるからである。
しかしながら、そのようにした場合には、その子供が試食品を直接に手で触ったり、その子供が試食品を熱いまま口にほお張ったりして、火傷を負ったり、子供には不適当な辛い試食品を食べて、その子供が腹痛を起こしたりする危険性が、多分にある。
【０００７】
また、商品宣伝員が試食品を提供する場所には、子供のみが集まって、その子供の親は、同じ店内の他の場所で買う商品を物色中であることが多い。
そのような場合には、その試食品を提供する場所に集まった幼い子供に、商品宣伝員が自己の提供する試食品が、その子供が食べても良い食品なのか又は食べてはいけない食品なのかを尋ねても、その子供が明確に判断できないことが、多い。
従って、そのような場合も、商品宣伝員は、その試食品を提供する場所に集まる子供に、自己の提供する試食品を、その子供が食べても良い食品なのか又は食べてはいけない食品なのかを、その子供に直接に詳しく尋ねることなく、求められるまま手渡してしまうことが、ほとんどである。
しかしながら、そのようにした場合にも、その子供が、前述のように、食物アレルギー持ちであったり、体調が悪かったりした場合には、大変危険な事態に陥る恐れが多分にある。
【０００８】
本発明は、このような課題を解消しようとするために為されたもので、スーパーなどの店内で、商品宣伝員が試食品を提供する際に用いられる、子供に対しての試食品の誤食防止方法であって、商品宣伝員が提供する試食品を子供が誤って食べて、食物アレルギー症状を起こしたり、腹痛を起こしたり、火傷を負ったり、体調を悪化させたりするのを防ぐことのできる、子供に対しての試食品の誤食防止方法（以下、誤食防止方法という）を提供することを目的としている。
【課題を解決するための手段】
【０００９】
このような目的を達成するために、本発明の誤食防止方法は、スーパーなどの店内で、商品宣伝員が試食品を提供する際に用いられる、子供に対しての試食品の誤食防止方法であって、
その試食品を提供中の店内に親と共に入る子供の首に、誤食防止用の注意書きが記載された紐の付いたタグを、掛けて吊るすことにより、
その子供のみでは前記商品宣伝員が提供する試食品をその子供にとって試食しても良い食品なのか又は試食してはいけない食品なのかを判断できない場合に、その子供が同じ店内にいる自分の親に、その子供が自分の首に掛けて吊るしているタグの注意書きを見せて、その試食品を自分が食べて良いのか悪いのかを聞くことができるようにしたことを特徴としている。
【００１０】
このような誤食防止方法によれば、商品宣伝員が試食品を提供する場所に集まる子供が、自分の首に掛けて吊るされたタグを、商品宣伝員から手渡された試食品やそのパンフレット等と共に、同じ店内にいるその子供の親に見せに行くことにより、その子供のみでは商品宣伝員が提供する試食品をその子供が試食しても良い食品なのか又は試食してはいけない食品なのかを判断できない場合等においても、その試食品をその子供が食べても良い食品なのか又は食べてはいけない食品なのかを、その子供が自分の親から誤りなく聞き出すことができる。そして、その子供が、その試食品を自分が試食しても良い食品なのか又は試食してはいけない食品なのか、あるいは受け取っても良い食品なのか又は悪い食品なのかを、誤りなく明確に認識できる。
その結果、その子供が、商品宣伝員が提供する試食品を誤って食べて、食物アレルギーショック症状を起こしたり、腹痛を起こしたり、体調を崩したりするのを防いだり、熱い試食品に触ったり、熱い試食品を食べたりして、火傷を負ったり、子供に不適当な辛い食品を食べて、腹痛を起こしたりするのを、未然に防ぐことができる。
また、そうした際には、商品宣伝員の提供する試食品が、その子供が食べてもかまわない食品であるのか又は食べてはいけない食品であるのかを、商品宣伝員が直接口に出して、その子供やその子供の親に尋ねる必要がないために、その子供の親やその子供に不快感や差別や偏見を抱かせる恐れが、なくなる。そして、そのスーパーなどの店の顧客である子供の親やその子供に、その店の印象を悪くする心配が、なくなる。
【００１１】
本発明の誤食防止方法においては、前記誤食防止用の注意書きが記載された紐の付いたタグが、試食品を提供中の店の入り口に置かれていて、そのタグを、親が自分と共に店内に入る子供の首に掛けて吊るしたり、又はその親と共に店内に入る子供が自発的に自分の首に掛けて吊るしたりできるようにするのが、好ましい。
そうした場合には、スーパー等の店に親が子供と共に訪れた際に、その試食品を提供中の店の入り口に置かれた紐の付いたタグを、親と共に店内に入る子供の首に掛けて吊るしたり、又はその親と共に店内に入る子供が自発的に自分の首に掛けて吊るしたりできる。そして、そのタグに記載された誤食防止用の注意書きを、商品宣伝員から手渡された試食品やそのパンフレット等と共に、子供が同じ店内にいる親に見せることにより、その子供が、その試食品を自分が食べて良い食品なのか又は食べてはいけない食品なのかを、親から明確に聞き出すことができる。そして、その子供が、自分が食べてはいけない試食品を誤って食べてしまうのを、未然に防ぐことができる。
【００１２】
本発明の誤食防止方法においては、前記誤食防止用の注意書きが記載された紐の付いたタグが、商品として販売されていて、そのタグを購入した子供の親が、そのタグを、試食品を提供中の店内に親と共に入る子供の首に掛けて吊るしたり、又はそのタグを購入した親の子供が、試食品を提供中の店内に親と共に入る際に、そのタグを自分の首に自発的に掛けて吊るしたりできるようにしても、良い。
そうした場合にも、試食品を提供中のスーパー等の店に親が子供を連れて訪れた際に、その購入した誤食防止用の注意書きが記載された紐の付いたタグを、親と共に店内に入る子供の首に掛けて吊るしたり、又はその親と共に店内に入る子供が自発的に自分の首に掛けて吊るしたりできる。そして、そのタグに記載された誤食防止用の注意書きを、商品宣伝員から手渡された試食品やそのパンフレット等と共に、子供が同じ店内にいる親に見せることにより、その子供が、その試食品を自分が食べて良い食品なのか又は食べてはいけない食品なのかを、親から明確に聞き出すことができる。そして、その子供が、食べてはいけない試食品を誤って食べてしまうのを、未然に防ぐことができる。
【００１３】
本発明の誤食防止方法においては、前記タグに記載された誤食防止用の注意書きが、子供やその親にとって不快感や差別や偏見を抱かせない、誤食防止を遠回しに柔らかく間接的に表現した文章からなることが、好ましい。
そうした場合には、そのタグに記載された誤食防止用の注意書きが、誤食防止を遠回しに間接的に柔らかく表現した文章からなっているために、その注意書きの文章を、その子供の親やその子供が見た場合に、その子供の親やその子供が不快感や差別や偏見を抱くのを、防ぐことができる。そして、その試食品を提供中の店の印象を悪くするのを、回避できる。
【００１４】
本発明の誤食防止方法においては、前記タグに、誤食防止用の注意書きと共に、子供の注意を引く、子供の喜ぶ、人気キャラクターや絵図が記載されていることが、好ましい。
そうした場合には、そのタグに記載されている、子供の注意を引く、子供の喜ぶ、人気キャラクターや絵図を見て、その子供が自発的にその紐付きタグを自分の首に掛けて吊るしたがるようになる。その結果、その誤食防止用の注意書きが記載された紐付きのタグを、子供がスーパーなどの店を訪れる際には、必ず自分の首に掛けて吊るすようになって、その店内で提供中の食べてはいけない試食品をその子供が誤って食べてしまうのを、未然に確実に防ぐことができる。
【発明の効果】
【００１５】
以上説明したように、本発明の誤食防止方法によれば、スーパーなどの店内で、商品宣伝員が試食品を提供する場所に集まる子供に、その子供が食べてはいけない試食品を商品宣伝員が手渡す等した場合に、その子供が、その試食品を誤って食べてしまうのを、未然に確実に防ぐことができる。そして、その子供が、食物アレルギーショック症状を起こしたり、腹痛を起こしたり、体調を悪化させたり、あるいは熱い試食品に手を触れて火傷を負ったりするのを、未然に確実に防ぐことができる。
その際には、その試食品が、その子供が食べてもかまわない食品であるのか又は食べてはいけない食品であるのかを、商品宣伝員が直接口に出して、その子供やその子供の親に尋ねる必要がないために、その子供の親やその子供に不快感や差別や偏見を抱かせる恐れをなくすことができる。そして、そのスーパーなどの店の顧客である子供の親やその子供に、その店の印象を悪くする心配をなくすことができる。
【発明を実施するための最良の形態】
【００１６】
図１は本発明の誤食防止方法の好適な実施の形態を示し、図１はそれに用いる紐付きタグの構造説明図、図２はその紐付きタグの使用状態説明図である。以下に、この誤食防止方法を説明する。
【００１７】
この誤食防止方法に用いられる紐付きタグは、例えば図１に示したような構造をしている。
タグ１０の本体１２は、平板状をしていて、発泡スチロール樹脂等を用いて形成されており、その軽量化が図られている。
タグ１０表面の下部には、誤食防止用の注意書きの文章１４が、見やすい大きな文字で記載されている。注意書きの文章１４は、例えば、「試食はママに聞いてね」などと、子供やその子供の親にとって不快感や差別や偏見を抱かせない、誤食防止を遠回しに柔らかく間接的に表現した文章からなっている。そして、その注意書きの文章１４を、子供の親や子供が見た場合に、その子供の親やその子供が不快感や差別や偏見を抱くのを、防いでいる。そして、その試食品を提供中の店の印象を悪くする恐れを回避している。
タグ１０表面の上部には、子供の注意を引く、子供の喜ぶ、人気キャラクターや絵図１６が記載されている。そして、子供が、そのタグ１０表面に記載された、子供の注意を引く、子供の喜ぶ、人気キャラクターや絵図１６を見て、その子供が自発的にその紐付きタグ１０を自分の首に掛けて吊るしたがるようにしている。そして、その誤食防止用の注意書きが記載された紐付きタグ１０を、子供がスーパーなどの店を訪れる際には、必ず自分の首に掛けて吊るすようになって、その店内で提供中の食べてはいけない試食品をその子供が誤って食べてしまうのを、未然に確実に防ぐことができるようにしている。
タグ１０上端には、そのタグ１０を子供の首に掛けて吊るすための、紐状の輪１８が、小型リング１７を介して、取り付けられている。そして、図２に示したように、その輪１８の内側に子供の頭を入れて、その輪１８内側に子供の首を通すことにより、そのタグ１０を子供の首に掛けて吊るすことができるようにしている。紐状の輪１８は、伸縮自在のゴムバンドから形成されていて、様々の大きさの頭や太さの首を持つ子供の首に自在に掛けて吊るすことができる構造をしている。
【００１８】
なお、この誤食防止方法に用いられる紐付きタグ１０は、図３に示したように、その本体１２自体が絵図と同じ格好をしていて、その上端に設けられた穴１５に、首にかけやすい柔らかい輪状の紐１９が着脱自在に取り付けられた構造のもとすることも、可能である。
【００１９】
このような構造をした誤食防止用の注意書きが記載された紐の付いたタグ１０は、図４に示したような状態で、そのタグの使用方法の説明看板２０と共に、試食品を提供中の店の入り口のカートや籠が置いてある壁２１等に、吊るして置かれている。又は、その注意書きが記載された紐の付いたタグ１０が、図５に示したような状態で、そのタグの使用方法の説明看板２０と共に、試食品を提供中の店の入り口の台２２上等に、置かれている。そして、そのタグ１０を、親が自分と共に店内に入る子供の首に掛けて吊るしたり、又はその親と共に店内に入る子供が自発的に自分の首に掛けて吊るしたりできるようにしている。
そして、その店に親が子供と共に訪れた際に、その試食品を提供中の店の入り口に置かれた紐の付いたタグ１０を、親と共に店内に入る子供の首に掛けて吊るしたり、又はその親と共に店内に入る子供が自発的に自分の首に掛けて吊るしたりできるようにしている。
そして、その子供のみでは商品宣伝員が提供する試食品がその子供にとって試食しても良い食品なのか又は試食してはいけない食品なのかを判断できない場合に、その子供が同じ店内にいる親に、その子供が自分の首に掛けて吊るしているタグ１０の注意書きを試食品やそのパンフレットと共に見せる等して、その試食品を食べて良いのか悪いのかを聞くことができるようにしている。そして、その子供が、その試食品を自分が試食しても良い食品なのか又は試食してはいけない食品なのか、あるいは受け取っても良い食品なのか又は悪い食品なのかを、誤りなく明確に認識できるようにしている。
そして、その子供が、商品宣伝員が提供する試食品を誤って食べて、食物アレルギーショック症状を起こしたり、腹痛を起こしたり、体調を悪くしたりするのを防いだり、熱い試食品に誤って触ったり、熱い試食品を誤って食べたりして、火傷を負ったり、子供に不適当な辛い食品を誤って食べて、腹痛を起こしたりするのを、未然に防ぐことができるようにしている。
また、その際には、商品宣伝員の提供する試食品が、その子供が食べてもかまわない食品であるのか又は食べてはいけない食品であるのかを、商品宣伝員が直接口に出して、その子供やその子供の親に尋ねる必要をなくしている。そして、その商品宣伝員が、その子供やその子供の親に直接に問いかけた言葉が、その子供の親やその子供に不快感や差別や偏見を抱かせる恐れをなくしている。そして、そのスーパーなどの店の顧客である子供の親やその子供に、その店の印象を悪くする心配をなくしている。
【００２０】
この誤食防止方法においては、誤食防止用の注意書きが記載された紐の付いたタグ１０が、商品として、玩具店や文具店や雑貨店等で、店頭販売されていても良い。そして、その店頭販売されている紐付きタグ１０を購入した親が、そのタグ１０を、試食品を提供中の店内に親と共に入る子供の首に掛けて吊るしたり、又はその店頭販売されている紐付きタグ１０を購入した親の子供が、試食品を提供中の店内に親と共に入る際に、そのタグ１０を自分の首に自発的に掛けて吊るしたりできるようにしても良い。
そうした場合にも、試食品を提供中のスーパー等の店内に親が子供を連れて入った際に、その子供の首に掛けて吊るされたタグ１０に記載された誤食防止用の注意書きを、商品宣伝員から手渡された試食品やそのパンフレット等と共に、その子供が同じ店内にいる親に見せることができる。そして、その子供が、その試食品を自分が食べて良い食品なのか又は食べてはいけない食品なのかを、親から明確に聞き出すことができる。そして、その子供が、食べてはいけない試食品を誤って食べてしまうのを、未然に防ぐことができる。
また、そうした際には、商品宣伝員の提供する試食品が、その子供が食べてもかまわない食品であるのか又は食べてはいけない食品であるのかを、商品宣伝員が直接口に出して、その子供やその子供の親に尋ねる必要をなくせる。そして、その商品宣伝員が、その子供やその子供の親に直接に問いかけた言葉が、その子供の親やその子供に不快感や差別や偏見を抱かせる恐れをなくせる。そして、そのスーパーなどの店の顧客である子供の親やその子供に、その店の印象を悪くする心配をなくせる。
【産業上の利用可能性】
【００２１】
本発明の誤食防止方法は、スーパー等の店内で商品宣伝員が店内の客に様々の種類の試食品の提供を行う場合に、その試食品の提供現場に集まる子供が、自分が食べてはいけない試食品を誤って食べてしまい、その子供が食物アレルギーショック症状を起こしたり、腹痛を起こしたり、火傷を負ったり、体調不良になったりするのを、未然に防ぐための有効な方法として、広く利用可能である。
【図面の簡単な説明】
【００２２】
【図１】本発明の誤食防止方法に用いられる紐付きタグの構造説明図である。
【図２】本発明の誤食防止方法に用いられる紐付きタグの使用説明図である。
【図３】本発明の誤食防止方法に用いられる紐付きタグの構造説明図である。
【図４】本発明の誤食防止方法の説明図である。
【図５】本発明の誤食防止方法の説明図である。
【符号の説明】
【００２３】
１０  タグ
１８  輪
１９  紐
２０  説明看板
２１  壁
２２  台
【図１】
2007086555.tif 000003
【図２】
2007086555.tif 000004
【図３】
2007086555.tif 000005
【図４】
2007086555.tif 000006
【図５】
2007086555.tif 000007